(57)【特許請求の範囲】
【請求項１】
底部フレーム（１）と少なくとも２つの隣接する坐部クッション体(２，３)と背部クッション体（４，５）とを有し、各背部クッション体（４，５）は上記坐部クッション体(２，３)の１つに配置され、上記底部フレーム（１）に対し、各坐部クッション体(２，３)を案内する少なくとも１つの案内装置（８）を備え、それによって各坐部クッション体(２，３)は、底部フレーム（１）に対し水平面で回動可能であり、また同時に，上記底部フレーム（１）に対して直線的に移動可能であって、一方，各坐部クッション体(３，２)及び全ての背部クッション体（４，５）は静止して保持される多部材を有する張り椅子家具であって、
各案内装置（８）は、移動可能な座部クッション体（２，３）に固設された上部プレート（１６）と前記底部フレーム（１）に固設された下部プレート(１７)とを備え、下部プレート(１７)はスロット（２５）を有し、上記スロット（２５）内で，上記上部プレート（１６）が水平方向に移動運動し、かつ回動運動するように支持されたスライダ（２７，２８）によって案内され、
前記案内装置（８）は、第１の回動ポイントである第１の端部において前記上部プレート（１６）に回動自在に設けられ、上記第１の端部に対向し、前記スライダ（２７，２８）から離れた位置にあり、そして第２回動ポイントである第２の端部において前記下部プレート（１７）に回動自在に設けられているコントロールアーム（３４）を備えている多部材を有する張り椅子家具。
【請求項２】
それぞれ移動可能に支持される坐部クッション体（２，３)は、案内装置（８）によって底部フレーム（１）上に接続され、案内装置(８)は、各坐部クッション体（２，３）の水平面における回動運動を、同時に重ねて直線的移動運動に変換するように構成されている請求項１に記載の多部材を有する張り椅子家具。
【請求項３】
それぞれ移動可能な坐部クッション体（２，３）は、２つの目的位置間を９０°の角度で回動するように支持されており、第１の目的位置において，側縁部分に対し横方向に延びる前縁部分（１１，１３）に隣接する側縁部分（９，１０）を有し、上記側縁部分(９，１０)と前縁部分（１１，１３）はその間に隅部（１２，１４）を特定し、さらに案内装置（８）は、各坐部クッション体（２，３）の移動時、上記隅部（１２，１４）を直線ライン（１５）に沿って案内するように構成されている請求項２に記載の多部材を有する張り椅子家具。
【請求項４】
２つの隣接する坐部クッション体（２，３）を有し、前記坐部クッション体（２，３）は、第１の目的位置において，それらの側縁部分（９，１０）に沿って互いに接触し、第２の目的位置に位置する坐部クッション体（３）は、第１の目的位置に位置する坐部クッション体(２)の側縁部分（９）と、その前縁部分（１３）とが接触する請求項３に記載の多部材を有する張り椅子家具。
【請求項５】
前記２つの坐部クッション体（２，３）は、それらの第２の目的位置において，それらの前縁部分（１１，１３）に沿って互いに接触する請求項４に記載の多部材を有する張り椅子家具。
【請求項６】
２つの隣接する移動可能な坐部クッション体（２，３）を有し、前記坐部クッション体（２，３）の各外側壁部分は、折曲げ可能なアームレスト（６，７）を備え、各坐部クッション体の第１の目的位置において，それぞれ上方に折曲げられ、第２の目的位置においては，下方に折曲げられてフットレストを形成する請求項４に記載の多部材を有する張り椅子家具。
【請求項７】
一端部においてコントロールアーム（３４）に回動自在に設けられ、第１のその端部に対向する第２の端部において前記下部プレート（１７）に回動自在に設けられている押圧スプリング装置（４０）をさらに備え、各座部クッション体（２，３）を有する前記上部プレート（１６）が各目的位置において付勢され、その目的位置に弾性的に拘束するばね力を保持する請求項１に記載の多部材を有する張り椅子家具。
【請求項８】
前記第２回動ポイントが、下部プレートの縁部にあって，前記スロット（２５）の中心線と一線に並ぶ位置にあり、前記押圧スプリング装置（４０）が一端部において前記コントロールアーム（３４）に回動自在に設けられ、上記一端部に対向する端部において前記下部プレート（１７）に回動自在に設けられており、上記一端部に対向する端部は前記スロット（２５）の中心線と一線に並ぶ位置にある請求項７に記載の多部材を有する張り椅子家具。
【請求項９】
前記上部プレート（１６）は略正方形の外郭を有し、その４つの隅部に、前記下部プレ−ト（１７）に支持されるように滑り部材（１８，１９，２０）を備え、さらに上部プレート（１６）の一側（２２）には２つのくぼみ（２３，２４）が形成され、下部プレート（１７）は係合ピン（３３）を備えており、上記くぼみ（２３，２４）が、上記係合ピン（３３）と協同し、座部クッション体（２，３）を有する上部プレート（１６）の運動の各目的位置を設定する請求項８に記載の多部材を有する張り椅子家具。
【発明の詳細な説明】
【０００１】
【発明の属する技術分野】
本発明は、張り椅子家具（upholstered  furniture）に関し、底部フレームと少なくとも２つの隣接する坐部クッション体と背部クッション体とを有し、各背部クッション体は隣接する坐部クッション体の１つに配置されており、また複数の背部クッション体を有し、その１つがそれぞれ１つの坐部クッション体に配置され、少なくとも１つの坐部クッション体は移動可能に構成されている張り椅子家具に関する。
【０００２】
【従来の技術】
この種張り椅子家具、又はなが椅子ともいう，の使用者は、座部に然るべき姿勢で坐るが、その場合，使用者の下肢部分は多かれ少なかれ垂直方向に延び、またその足は床上に置かれる。しかしこのような坐り姿勢は或る時間経過すれば，快適さが感じられなくなる。
【０００３】
より快適でくつろげるのは横たわりの姿勢であり、この姿勢では脚部を延ばし、また多かれ少なかれ水平方向に休ませることになるが、そのために足は屡々，なが椅子の前に置かれた小テーブルや足台の上に載せられる。しかしながら，これは、なが椅子に加えて，さらにもう一品の家具の提供を余儀なくされることになる。
【０００４】
調整可能な張り椅子家具は、従来からも知られているが、この種家具において複数の座部を有するなが椅子は未だ提供されていない。
【０００５】
【発明が解決しようとする課題】
本発明の主たる目的は、最小の仕事量と最小の要求スペースをもって，坐り形態から横たわり形態に変えることができる多部材を有する張り椅子家具を提供することにある。
【０００６】
【課題を解決するための手段】
底部フレームと少なくとも２つの隣接する坐部クッション体と背部クッション体とを有し、各背部クッション体は坐部クッション体の１つに配置される多部材を有する張り椅子家具において、上記底部フレームに対し、各坐部クッション体を案内する少なくとも１つの案内装置を備え、それによって各坐部クッション体は、底部フレームに対し水平面で回動可能であり、また同時に，上記底部フレームに対して直線的に移動可能であって、一方、各坐部クッション体及び全ての背部クッション体は静止して保留されることを特徴とする張り椅子家具である。
【０００７】
【発明の実施の形態】
本発明の実施の形態を以下に図面を参照して説明する。
【０００８】
図１は、２形態（two−piece）の長椅子として構成されている多部材を有する張り椅子家具を示している。第１の座部クッション体２と上記第１の座部クッション体２に隣接する第２のクッション体３は、底部フレーム１上に配置されており、この底部フレームは図面において単に支持脚として示されている。第１の背部クッション体４は第１の座部クッション体２に配備され、第２の背部クッション体５は第２の座部クッション体３に配備されている。２つの背部クッション体４，５は底部フレーム１に対し静止して配置されている。
【０００９】
図１において、第１の座部クッション体２は坐り形態、即ち第１の目的位置として図示されており、回動可能なアームレスト６が座部クッション体２に回動可能に設けられており、このアームレストは坐り形態においては上方回動位置をとる。
【００１０】
この第１の座部クッション体２が、第２の目的位置である坐り形態をとるには、水平面内で９０°回動することによってなされる。図１について言えば，第１の座部クッション体２の回動運動は時計方向に行われる。
【００１１】
第２の座部クッション体は、横たわり形態に回動した位置として図示されており、これは第２の目的位置として確定されている。そのために，第２の座部クッション体は坐り形態位置から図示の位置まで時計方向に９０°回動し、それによってアームレスト７は予め下方に回動或いは折曲げられており、フットレストとしての機能を果たしている。従って，第２の座部クッション体３は、図示の位置から後に回動することができ、また、そのアームレスト７は上方に回動することができ、それによって人が坐れるところの２座席のなが椅子が形成される。
【００１２】
図１から明らかなように、２つの座部クッション体２，３を静止回動軸のまわりに単に回動させることは、それらが密接して並んでいるため不可能である。回動運動を行わせるために，回動可能な座部クッション体２，３は、それぞれ底部フレーム上に案内装置を介して取付けられており、その案内装置によって，水平面内で行われる回動運動は、その回動運動に重ねて直線的な移動運動に確実に変換される。
【００１３】
これらの動きに対する説明は図３の（Ａ）乃至（Ｇ）に示されている。
【００１４】
図３Ａは、図１における第１の座部クッション体２と同じ坐り形態をとる２つの座部クッション体２，３を示す。従って，両者は第1の目的位置をとり、アームレスト６，７は既に下方に折り返されている。
【００１５】
第1の座部クッション体２は、図１からも分かるように、第1の目的位置にあり、第２座部クッション体３は、図３の（Ａ）に示される第1の目的位置から図３Ｇにおける第２の目的位置に回動しようとしている。第１の座部クッション体２は、隣接する第２の座部クッション体３の側縁部分１０に当接する側縁部分９を有する。第1の座部クッション体２の側縁部分9は、図示の坐り形態における前縁部分１１と繋がっており、これら２つの縁部分９，１１間にある偶部は、符号１２で示されている。同様に，第２座部クッション体３の側縁部分１０は、前縁部分１３と繋がっており、これら２つの縁部分１０，１３間にある偶部は、符号１４で示されている。
【００１６】
第２の座部クッション体３が、図３の（Ａ）における位置から図３の（Ｂ）における位置に回動する時、第２の座部クッション体３は、後述する案内装置８によって案内され、前記偶部１４は、静止状態にある第１の座部クッション体２の側縁部分９に一致する直線ライン１５に沿って移動し、それによって第２の座部クッション体３の回動時，上記偶部１４は第１の座部クッション体２の側縁部分９に沿って通過摺動する。
【００１７】
そして、第２の座部クッション体３が図３に示される第２の目的位置に到達すると、それは横たわり形態位置をとる。この状態において、上記座部クッション体３の（元の）前縁部分１３は、回動していない第１の座部クッション体２、即ち，未だ，図３（Ａ）における第１目的位置にある座部クッション体２の側縁部分９に当接する。
【００１８】
なお、第１の座部クッション体２も又、回動できることが望ましく、それによってその偶部１２も又，直線ライン１５に沿って移動する。又、第１の座部クッション体２が第２の目的位置に位置すると、２つの座部クッション体２，３における２つの(元の)前縁部分１１，１３は互いに接触する。
【００１９】
背部クッション体４，５は回動運動に参画しないことは注意すべきことである。これらは底部フレームに固設されている。
【００２０】
既に述べた回動運動を実行するためには、各偶部１２，１４が、直線ライン１５に沿って移動する間、各座部クッション体２，３は、図２に基き述べたように案内装置８によってガイドされる。
【００２１】
この案内装置８は、各座部クッション体２，３に夫々接続される上部プレート１６を具備し、又，案内装置８はさらに底部フレーム１に設けられた下部プレート１７を具備する。
【００２２】
上部プレート１６は、概略正方形の外郭を有し、上記下部プレート１７上に滑り部材によって支持されており、図２にはその３つの滑り部材１８，１９，２０が示されている。透孔２が上部プレートのセンターに設けられている。さらに、２つのくぼみ２３，２４が上部プレートの一側に形成されている。
【００２３】
上記下部プレート１７はスロット２５を備えており、このスロット２５にはスライダがセットされている。スライダはその底部にディスク２６を有し、上記ディスク上には、走行部材２８を支持する離隔部材２７が配置されており、走行部材はスロット２５内を走行する。さらに、２つの締付けペグ２９，３０が上記離隔部材２７に取り付けられている。
【００２４】
上部プレート１６の透孔２１に貫挿されるねじ付きボルト３１は、離隔部材２７及びディスク２６を通じて延出し、最終的にはロックナット３２によって締め付け固定されている。
【００２５】
かくして、上部プレート１６は、スロット２５に沿って直線的に移動可能になっており、また同時に下部プレート１７に対し回動可能になっている。
【００２６】
係合ピン３３は、下部プレート１７から突出し、上部プレート１６の一側に設けられたくぼみ２３，２４と協同して上部プレート１６の回動運動における目的位置を確定する。図面から明らかなように，上部プレート１６における図示の位置において、上記係合ピン３３は上記くぼみ２４に係合し、又，他の目的位置において、係合ピン３３はくぼみ２３に係合する。
【００２７】
コントロールアーム３４は、その端部においてピン３５を介して下部プレート１７に回動自在に取り付けられており、その取付け位置は、スロット２５における長手方向の中心線と一線に並ぶ位置にある。この位置、即ち，ホール４３は、下部プレート１７の側縁に隣接して設けられており、そのために，ベアリングブッシュ３６及びロックナット３７が図示されている。
【００２８】
上記コントロールアーム３４は、その対向する端部において，スライド部材１９を介して上部プレート１６に回動自在に取り付けられており、その取付け位置は、スロット２５における長手方向の中心線から外れている。
【００２９】
ボールピン３８はコントロールアーム３４の下方に突出し、弓状開口部３９を貫通し、ガス圧スプリング４０の一端に取付けられている。このガス圧スプリング４０は、その対向する端部において、下部プレート１７のホール４２に嵌め込まれるピン４１を介して回動自在に取り付けられている。上記ホール４２は、スロット２５の長手方向中心線と一線に並ぶ位置にあり、さらに、コントロールアーム３４のピン３５を受容するホール４３も又、上記長手方向中心線と一線に並ぶ位置にある。
【００３０】
上記案内装置の作動は以下の通りである。
【００３１】
上部プレート１６（座部クッション体に取付けられている）が、図２に基づき，反時計方向に回動すると、この動きはコントロールアーム３４を枢動させて、上記プレート１６をスロット２５沿いに押しやる。そして、この上部プレート１６の回動運動は、コントロールアーム３４を介して，上記プレート１６を確実に直線的に移動させ、この動きは上記回動運動に重ねてなされる。これは図３の（Ａ）−（Ｇ）に示すように、坐部クッション体が前記直線ライン１５から離れて移動する、しかしてコントロール装置の各部の大きさが一致するようにある程度正確に選択することが重要であることを意味する。坐部クッション体３の隅部１４は、上記坐部クッション体の如何なる回動位置においても前記直線ライン１５に保持される。
【００３２】
上部プレート１６の回動運動の第一段階において、ガス圧スプリング４０はその弾性復元力に抗して付勢される。
【００３３】
ガス圧スプリング４０は、上部プレート１６が４５°回動した時、最大の緊張状態，即ち圧縮状態となる。この位置は回動運動の死点位置に相当する。さらに４５°の位置を超えて回動すると、坐部クッション体とともに上部プレート１６は、ガス圧スプリング４０によって他の目的位置へと押しやられ、その位置に保持される。このことは使用者にとって極めて有利であり、なぜならば使用者は４５°よりも少ない角度だけ坐部クッション体を回動させればよく、又その後のさらなる回動運動はそれ自身によって行われるからである。
【００３４】
案内装置における作動状態は図３の（Ａ）−（Ｇ）によって明確に示されている。
【００３５】
図３の（Ａ）は目的位置、即ち坐り形態をとる座部クッション体３の初期の位置を示している。座部クッション体３が上記図３の（Ａ）の位置から（Ｂ）の位置に回動すると、上部プレート１６がコントロールアーム３４によってスロット２５内を移動するが、偶部１４は座部クッション体３の回動にも拘わらず直線ライン上を維持する。ガス圧スプリング４０は緊張状態，即ちその弾性復元力に抗して圧縮される。図３の（Ｂ）の位置から図３の（Ｃ）の位置に引き続き回動すると、上記プレート１６はさらにスロット２５内を移動し、ガス圧スプリング４０はさらになお圧縮される。
【００３６】
そして、上記位置が図３の（Ｄ）の位置、即ち４５°の位置に達する。この位置において，スロット２５、コントロールアーム３４及びガス圧スプリング４０は、互いに一直線に整列し、またガス圧スプリングは最大の緊張状態にある。
【００３７】
座部クッション体３が、図３の（Ｅ）に示される方向にさらに回動すると、上部プレート１６は、今度は，コントロールアーム３４によってスロット２５沿いに引き下げされるが、偶部１４は、なお直線ライン１５に沿って移動する。しかしながら，この移動には、ガス圧スプリング４０の弾性復元力がコントロールアーム３４に作用するので、さらに手動による力は要しない。従って、座部クッション体３は、図３の（Ｆ）に示される位置から図３の（Ｇ）に示される位置まで移動し、そして座部クッション体３は横たわり形態となる。上部プレート１６におけるくぼみ２３は、ガス圧スプリングにより係合ピン３３に押圧されて，その状態に保持され、座部クッション体３は上記位置に拘束される。
【００３８】
座部クッション体３が図３の（Ｇ）に示される横たわり形態の位置から図３の（Ａ）に示される坐り形態の位置に回動する際には、案内装置８における各部の動作は、前の回動時になされたと同じ動作を持って作動する。
【図面の簡単な説明】
【図１】本発明の実施例である２形態の張り椅子家具の斜視図。
【図２】張り椅子家具の座部クッション体における案内装置の構成を示す分解組立図。
【図３】案内装置の作動状態をＡ〜Ｇに亘って概略的に示す説明図。
【符号の説明】
１…底部フレーム、２，３…座部クッション体、４，５…背部クッション体、８…案内装置、９，１０…側縁部分、１１…前縁部分、１２…隅部、１３…前縁部分、１４…隅部、１５…直線ライン、１６…上部プレート、１７…下部プレート、２１…透孔、２３，２４…くぼみ、２５…スロット、３３…係合ピン、３４…コントロールアーム、４０…ガス圧スプリング。
【図１】
0004965030.tif 000002
【図２】
0004965030.tif 000003
【図３】
0004965030.tif 000004